(57)【要約】【課題】所定の領域内に存在する水中生物をもれなく捕獲することのできる水中生物捕獲装置を提供する。【解決手段】上部側に設けられる円形の天板１１と、この天板１１の下側に所定の間隔を隔てて設けられ天板１１より重い円形の底板１２と、これら天板１１及び底板１２とを連結する四本の丸棒１３とを備えた籠部を有し、籠ユニット用ロープ１４が取り付けられる籠ユニット１０と、開口部２１を有する袋状の網２２と、この網２２の開口部２１に取り付けられる円形状の上部リング２３とを備えた網部を有し、網ユニット用ロープ２５が取り付けられる網ユニット２０と、を備える。また、網ユニット２０のロープ２５が、籠ユニット１０に設けられたロープガイド１５により案内される。【選択図】　　　図２
2004016118.tif 000002
【特許請求の範囲】
【請求項１】
水中生物を捕獲する水中生物捕獲装置であって、
上部部材と、この上部部材の下部に当該上部部材と所定の間隔を隔てて設けられる下部部材と、前記所定の間隔内に形成され前記水中生物が出入り自在な開放部とを備えた捕獲本体と、
開口部を有する袋状の網と、当該開口部に取り付けられる枠体とを有し、前記捕獲本体に対して相対的に移動自在に配設されると共に当該捕獲本体を収容可能な捕獲部材と、
を具備させたことを特徴とする水中生物捕獲装置。
【請求項２】
前記捕獲本体が吊り下げ及び引き上げられる第一ロープと、前記捕獲部材が吊り下げ及び引き上げられる第二ロープと、を更に備え、
前記捕獲本体には、前記捕獲部材の前記第二ロープが案内される案内部材を具備させたことを特徴とする請求項１に記載の水中生物捕獲装置。
【請求項３】
前記捕獲本体の前記上部部材及び前記下部部材、及び、前記捕獲部材の前記枠体が、円形の形状を有することを特徴とする請求項１に記載の水中生物捕獲装置。
【請求項４】
前記捕獲本体の前記下部部材が、当該捕獲本体の前記上部部材よりも大きな重量を有することを特徴とする請求項１に記載の水中生物捕獲装置。
【請求項５】
前記捕獲本体は、当該捕獲本体の前記下部部材の下部に取り付けられ且つ前記捕獲部材の底部に形成されたガイドを貫通するように配設される棒材と、前記ガイドから突出した前記棒材に取り付けられる錘部材と、を更に備えることを特徴とする請求項１に記載の水中生物捕獲装置。
【請求項６】
前記錘部材は、バラストが収容されるバラスト容器を備えることを特徴とする請求項５に記載の水中生物捕獲装置。
【請求項７】
水中生物を捕獲する水中生物捕獲装置であって、
前記水中生物が出入り自由な開放領域を有する籠部材と、
前記籠部材の前記開放領域に対する前記水中生物の出入りを妨げるシャッタ部材とを具備し、
前記シャッタ部材は、所定のタイミングで前記開放領域を遮断することを特徴とすることを特徴とする水中生物捕獲装置。
【発明の詳細な説明】
【０００１】
【発明の属する技術分野】
本発明は、クラゲ等の水中生物を捕獲する水中生物捕獲装置に関する。
【０００２】
【従来の技術】
従来より、生物学、或いは、臨海地に建設される火力発電所や原子力発電所等の発電所の冷却系への侵入を防止する目的で、海域内におけるミズクラゲの分布状況の観測が行われている。
図７（ａ）は、従来のミズクラゲの捕獲装置を示す。
同図において、符号１００は正方形（１ｍ×１ｍ）の枠１０１に取り付けられた袋状の網１０２（長さ４ｍ、網目１０ｍｍ×１０ｍｍ）を備えた捕獲網であり、この枠１０１の角部には４本のロープ１０３ａ〜１０３ｄが取り付けられ、これら各ロープ１０３ａ〜１０３ｄは１本のロープ１０３ｅに接続されるようになっている。
そして、船１０４にて捕獲網１００のロープ１０３ｅを曳航することにより、海中を浮遊するミズクラゲの捕獲を行い、捕獲されたミズクラゲの量に基づいてこの海域におけるクラゲ密度を求めている。尚、図７（ａ）は、二つの捕獲網１００を異なる深さに配置することで、海中上層及び海中下層のミズクラゲを同時に捕獲する例を示しており、符号１０５はロープ１０６を介して海中下層の捕獲網１００を所定深さに設置するためのブイである。
【０００３】
【発明が解決しようとする課題】
しかしながら、上述した捕獲網１００を曳航する手法では、大量のミズクラゲが存在している場合に、すべてのミズクラゲを捕獲できず、正確なクラゲ密度を得られなくなってしまうという技術的課題がみられた。
これを具体的に説明すると、次の通りである。例えば図７（ｂ）に示すように、海中に大量のミズクラゲ１０７が存在する場合は、網１０２に捕獲されたミズクラゲ１０７が網１０２の網目の多くを塞いでしまう。すると、これが水流に対する抵抗となり、網１０２への更なる海水及びミズクラゲ１０７の侵入を防止してしまうため、実際よりも少ない量のミズクラゲ１０７しか捕獲できなり、真のクラゲ密度が得られなくなってしまうのである。
尚、このような技術的課題は、上述したミズクラゲ１０７の捕獲に限らず、一般の水中生物の捕獲においても同様に生じ得るものである。
【０００４】
本発明は、以上の技術的課題を解決するためになされたものであって、その目的は、所定の領域内に存在する水中生物をもれなく捕獲することのできる水中生物捕獲装置を提供することにある。
【０００５】
【課題を解決するための手段】
そこで、本発明は、水中生物を捕獲する水中生物捕獲装置であって、上部部材と、この上部部材の下部に上部部材と所定の間隔を隔てて設けられる下部部材と、所定の間隔内に形成され水中生物が出入り自在な開放部とを備えた捕獲本体と、開口部を有する袋状の網と、この開口部に取り付けられる枠体とを有し、捕獲本体に対して相対的に移動自在に配設されると共に捕獲本体を収容可能な捕獲部材と、を具備させたことを特徴とするものである。
本発明の水中生物捕獲装置によれば、水中に捕獲本体を配置して開放部に水中生物が出入り自在な状態とした後、捕獲部材によって捕獲本体を収容することにより、開放部内に存在する水中生物をもれなく捕獲することができる。
【０００６】
また、捕獲本体が吊り下げ及び引き上げられる第一ロープと、捕獲部材が吊り下げ及び引き上げられる第二ロープと、を更に備え、捕獲本体には、捕獲部材の第二ロープが案内される案内部材を具備させるようにすれば、第二ロープを介して捕獲本体と捕獲部材とを間接的に接続することで、水流による捕獲本体及び捕獲部材の水平方向の位置ずれを防止することができる。
更に、捕獲本体の上部部材及び下部部材、及び、捕獲部材の枠体が、円形の形状を有するようにすれば、水流により捕獲本体及び捕獲部材の回転方向の位置ずれが生じた場合にも、捕獲部材による捕獲本体の収容を容易にすることができる。
更にまた、捕獲本体の下部部材が、捕獲本体の上部部材よりも大きな重量を有するようにすれば、水中で捕獲本体を安定して吊り下げることができる。
【０００７】
また、捕獲本体は、捕獲本体の下部部材の下部に取り付けられ且つ捕獲部材の底部に形成されたガイドを貫通するように配設される棒材と、ガイドから突出した棒材に取り付けられる錘部材と、を更に備えるようにすることができる。
このような水中生物捕獲装置によれば、棒材を介して捕獲本体と捕獲部材とを間接的に接続することで、水流による捕獲本体及び捕獲部材の水平方向の位置ずれを防止することができる。また、錘部材を設けることにより、水中に捕獲本体及び捕獲部材を安定して吊り下げることができる。
ここで、錘部材は、バラストが収容されるバラスト容器を備えるようにすることができ、これによれば、バラスト量の調整により、所望とする水深での水中生物の捕獲が容易となる。
【０００８】
また、本発明の水中生物捕獲装置は、水中生物を捕獲する水中生物捕獲装置であって、水中生物が出入り自由な開放領域を有する籠部材と、籠部材の開放領域に対する水中生物の出入りを妨げるシャッタ部材とを具備し、シャッタ部材は、所定のタイミングで開放領域を遮断することを特徴とするものである。
本発明の水中生物捕獲装置によれば、水中に籠部材を配置して開放領域に水中生物が出入り自在な状態とした後、所定のタイミングでシャッタ部材によって開放領域を遮断することにより、開放領域内に存在する水中生物をもれなく捕獲することができる。
【０００９】
【発明の実施の形態】
以下、添付図面に示す実施の形態に基づいてこの発明を詳細に説明する。
―実施の形態１―
図１（ａ）は、本発明が適用された水中生物捕獲装置（本実施の形態ではクラゲ捕獲装置）の実施の形態１を示している。
同図において、本実施の形態に係るクラゲ捕獲装置は、籠ユニット１０と、網ユニット２０とを備えている。
ここで、籠ユニット１０は、図１（ａ）及び図２（ａ）に示すように、上部側に設けられる円形の天板（上部部材）１１と、この天板１１の下側に所定の間隔を隔てて設けられ天板１１より重い円形の底板（下部部材）１２と、これら天板１１及び底板１２とを連結する四本の丸棒１３（１３ａ〜１３ｄ）とを備えた籠部（捕獲部材）１を有している。また、天板１１の縁端部には、上部に向けて、四本のロープ１４ａ〜１４ｄ及びこれら四本のロープ１４ａ〜１４ｄが接続される一本のロープ１４ｅからなる籠ユニット用ロープ（第一ロープ）１４が取り付けられている。一方、天板１１の縁端部には、側部に向けて、四つのロープガイド（案内部材）１５（１５ａ〜１５ｄ）が取り付けられている。ここで、天板１１は、リング状板１１ａとこのリング状板１１ａの中央部に設けられるネット１１ｂとを備えており、このネット１１ｂは、捕獲対象となるクラゲ（本実施の形態ではミズクラゲ）が出入り不可能な網目（１ｃｍ×１ｃｍ）を有している。
このような構成により、籠部１では、天板１１と底板１２との間にミズクラゲが出入り自在な開放部１６が形成される。また、天板１１と底板１２との間に形成される容積は約１ｍ３となっている。
【００１０】
一方、網ユニット２０は、図１（ａ）及び図２（ｂ）に示すように、開口部２１を有する袋状の網２２と、この網２２の開口部２１に取り付けられる円形状の上部リング（枠体）２３とを備えた網部（捕獲部材）２を有している。この網２２は、開口部２１から内部側に向かって径が細くなるテーパ状の形状を有しており、最奥部には、前記上部リング２３よりもわずかに短い直径を有する下部リング２４が取り付けられている。また、上部リング２３には、上部に向けて、四本のロープ２５ａ〜２５ｄ及びこれら四本のロープ２５ａ〜２５ｄが接続される一本のロープ２５ｅからなる網ユニット用ロープ（第二ロープ）２５が取り付けられている。
尚、開口部２１の直径は、籠部１の底板１２の直径よりもわずかに大きく設定される。また、網２２の網目は、捕獲対象となるミズクラゲが出入り不可能な大きさ（１ｃｍ×１ｃｍ）である。
【００１１】
そして、本実施の形態では、図１（ａ）に示すように、網ユニット２０のロープ２５ａ〜２５ｄが、夫々、籠ユニット１０に設けられたロープガイド１５（１５ａ〜１５ｄ）により案内されるようになっている。
このロープガイド１５は、例えばロープガイド１５ｃを例に説明すると、図１（ｂ）及び図１（ｂ）のＩｃ−Ｉｃ断面図である図１（ｃ）に示すように、天板１１の側部に取り付けられ網ユニット２０のロープ２５ｃが貫通配置される断面Ｕ字状のアーム部材１５１と、このアーム部材１５１に取り付けられた回転軸１５２ａを軸に回転自在に配設されロープ２５ｃが掛けられる滑車１５２とを備えている。これにより、ロープ２５ｃは、滑車１５２から外れずに案内されることとなる。
【００１２】
次に、本実施の形態に係るクラゲ捕獲装置を用いたクラゲ捕獲方法について説明する。
まず、図示しない船から海中に向けてクラゲ捕獲装置を投下し、籠ユニット用ロープ１４及び網ユニット用ロープ２５で吊り下げ、籠部１及び網部２を観測を行う所定の深さまで沈めていく。
籠部１が所定の深さに到達した時点で籠ユニット用ロープ１４を固定し、次に、籠部１の開放部１６全面が水中に露出するまで網部２を更に沈めた後、網ユニット用ロープ２５を固定する。この状態を図３（ａ）に示す。また、このとき、網部２内にミズクラゲが侵入しないよう、籠部１の底板１２と網部２の上部リング２３との距離を極力狭めておくことが好ましい。
【００１３】
そして、この状態で所定時間（数十秒〜数分程度）保持する。この間、この海域にミズクラゲ３０が存在する場合は、籠部１の開放部１６に、海流に乗ったミズクラゲ３０が自由に出入りする。
また、本実施の形態では、籠部１において、天板１１よりも底板１２の方が重くなっているので、籠部１を沈める際、或いは、籠部１を水中で保持する際に、安定した状態を保つことが可能となっている。また、籠部１の天板１１にネット１１ｂが形成されているため、海水の抜けがよくなる（海水の抵抗が少なくなる）分、籠部１を沈める際或いは引き上げる際にかかる時間を低減できると共に、かかる労力も少なくできる。
【００１４】
所定時間が経過した後、網ユニット用ロープ２５を引き上げ、網部２により籠部１を収容する。すると、開放部１６内に存在していたミズクラゲ３０が漏れなく捕獲される。この状態を図３（ｂ）に示す。また、このとき、籠部１の天板１１の下面及び網部２の上部リング２３の高さが略同位置となり、これ以上ミズクラゲ３０が出入りできないような状態となる。
ここで、本実施の形態では、籠部１及び網部２の構成部材が円形の形状を有しているので、海流の影響で籠部１及び網部２の位置関係がねじれたとしても、何の問題もなく網部２により籠部１を収容することができる。また、籠部１の天板１１に網ユニット用ロープ２５のロープガイド１５を取り付けているので、海流による籠部１及び網部２の水平方向の位置ずれが生じにくく、安定して網部２により籠部１を収容することができる。
【００１５】
次に、網ユニット用ロープ２５にテンションがかかるように網ユニット用ロープ２５及び籠ユニット用ロープ１４を引き上げ、船上にクラゲ捕獲装置を回収する。
その後、捕獲されたミズクラゲ３０の数をカウントし、クラゲ密度を求める。ここで、本実施の形態では、籠部１の開放部１６の容積が１ｍ３に設定されているので、捕獲されたミズクラゲ３０の数がそのまま１ｍ３当たりの密度となる。
【００１６】
そして、上述したクラゲ捕獲を、図４（ａ）に示す海中上層、図４（ｂ）に示す海中中層、図４（ｃ）に示す海中下層でそれぞれ複数回行って平均をとり、当該領域のクラゲ密度とする。更に、これを例えばマトリックス状に分割された領域毎に行い、海域におけるクラゲ密度の分布を得る。
【００１７】
尚、本実施の形態では、クラゲ捕獲装置について説明したが、この装置を用いて他の水中生物を捕獲することも可能である。但し、その場合は、捕獲対象となる水中生物の大きさに応じて、天板１１のネット１１ｂ及び網２２の網目の細かさを選定することが必要である。
【００１８】
―実施の形態２―
図５は、本発明が適用されたクラゲ捕獲装置の実施の形態２を示している。ここで、本実施の形態に係るクラゲ捕獲装置は、実施の形態１で説明したものと略同様であるが、籠部１に錘１８を取り付けている点が異なる。
尚、本実施の形態において、実施の形態１と同様のものについては、同じ符号を付し、その詳細な説明を省略する。
【００１９】
本実施の形態において、籠部１の底板１２の下部には、網部２の底部に形成されたガイド部２６を貫通するように配設される支持パイプ（棒材）１７が接続されており、このガイド部２６から突出する支持パイプ１７の先端部に、所定の重さを有する錘１８が取り付けられるようになっている。
また、錘１８には図示しない水深センサが取り付けられ、この水深センサは、図示しない通信線を介して船上の水深計に接続されている。
また、本実施の形態のロープガイド１５は、実施の形態１のものとは異なり、円筒状であって滑車を有しないものである。
【００２０】
本実施の形態では、支持パイプ１７を介して籠部１と網部２とを間接的に接続しているので、海流による籠部１及び網部２の水平方向の位置ずれが更に生じにくく、安定して網部２により籠部１を収容することが可能となる。
また、錘１８を設けることにより、錘１８が籠部１に下向きの力を与えるので、クラゲ捕獲装置を安定して海中に吊り下げ、また、海中から引き上げることができる。
更に、錘１８に水深センサを設けることにより、容易に水深を知ることができ、クラゲ捕獲装置の海中上層、中層、下層への位置設定が簡単になる。
【００２１】
―実施の形態３―
図６は、本発明が適用されたクラゲ捕獲装置の実施の形態３を示している。ここで、本実施の形態に係るクラゲ捕獲装置は、実施の形態２で説明したものと略同様であるが、錘１８の構成が異なっている。
尚、本実施の形態において、実施の形態２と同様のものについては、同じ符号を付し、その詳細な説明を省略する。
【００２２】
本実施の形態において、錘１８は、内部に図示しないバラスト容器を備えており、外側に取り付けられた吸入弁１８ａ、吐出弁１８ｂにより空気と水（海水）とを適宜入れ換えできるようになっている。これにより、錘１８は、錘としての機能に加え、フロート（ウキ）としての機能も有している。
【００２３】
本実施の形態では、錘１８のバラスト容器内の海水量を調整することにより、浮力を調整できるようにしたので、クラゲ捕獲装置の海中上層、中層への位置設定が容易になる。
また、クラゲ捕獲装置を海中下層に位置設定する場合は、バラスト容器内をすべて海水で満たすようにすればよい。
【００２４】
【発明の効果】
以上説明したように、本発明の水中生物捕獲装置によれば、所定の領域内に存在する水中生物をもれなく捕獲することができる。
【図面の簡単な説明】
【図１】（ａ）は実施の形態１に係るクラゲ捕獲装置の全体図、（ｂ）はロープガイドの拡大図、（ｃ）は図１（ｂ）のＩｃ−Ｉｃ断面図である。
【図２】（ａ）は籠ユニット、（ｂ）は網ユニットの斜視図である。
【図３】（ａ）（ｂ）はクラゲ捕獲装置を用いたクラゲ捕獲方法を説明する説明図である。
【図４】（ａ）〜（ｃ）はクラゲ捕獲装置を用いたクラゲ密度の観測方法をを説明する説明図である。
【図５】実施の形態２に係るクラゲ捕獲装置の全体図である。
【図６】実施の形態３に係るクラゲ捕獲装置の全体図である。
【図７】（ａ）は従来のクラゲ捕獲装置を示す説明図、（ｂ）は従来のクラゲ捕獲装置における問題点を示す説明図である。
【符号の説明】
１…籠部、２…網部、１０…籠ユニット、１１…天板、１２…底板、１４…籠ユニット用ロープ、１５…ロープガイド、１６…開放部、１７…支持パイプ、１８…錘、２０…網ユニット、２１…開口部、２２…網、２３…上部リング、２５…網ユニット用ロープ
【図１】
2004016118.tif 000003
【図２】
2004016118.tif 000004
【図３】
2004016118.tif 000005
【図４】
2004016118.tif 000006
【図５】
2004016118.tif 000007
【図６】
2004016118.tif 000008
【図７】
2004016118.tif 000009